(57)【要約】【課題】工具アダプタを調整前の角度に自動的に回復させるソケットを提供する。【解決手段】ソケットは、ソケット接続棒３、工具ジョイント群４及び調整ベース５を備える。ソケット接続棒３は、ねじをねじ込むか緩めるワークジョイント３１が一端に設けられ、嵌合部３２が他端に設けられ、嵌合部３２内には軸孔３２１が形成され、嵌合部３２には、透孔３２２と、位置規制球３２５が嵌設される位置規制孔３２３とがそれぞれ形成される。工具ジョイント群４は、ソケット接続棒３の嵌合部３２の軸孔３２１内に嵌設されるとともに、軸孔３２１内に順次嵌設された弾性部材４１、位置決めブロック４２及び工具ジョイント４３を有し、位置決めブロック４２の中段部近くに位置決め溝４２２が形成される。位置決め溝４２２には、位置規制球３２５の底端が位置決めされる。工具ジョイント４３の一端には、球体揺動部材４３１が設けられる。【選択図】図７
0003214923.tif 000002
【実用新案登録請求の範囲】
【請求項１】
ソケット接続棒、工具ジョイント群及び調整ベースを備えたソケットであって、
前記ソケット接続棒は、ねじをねじ込むか又は緩めるワークジョイントが一端に設けられ、嵌合部が他端に設けられ、前記嵌合部内には軸孔が形成され、前記嵌合部には、透孔と、位置規制球が嵌設される位置規制孔とがそれぞれ形成され、
前記工具ジョイント群は、前記ソケット接続棒の前記嵌合部の軸孔内に嵌設されるとともに、前記軸孔内に順次嵌設された弾性部材、位置決めブロック及び工具ジョイントを有し、前記位置決めブロックの中段部近くに位置決め溝が形成され、前記位置決め溝には、前記位置規制球の底端が位置決めされ、前記工具ジョイントの一端には、球体揺動部材が設けられ、前記球体揺動部材の一端には、当接面が延設され、前記当接面は、前記位置決めブロックの一端に当接され、
前記調整ベースは、前記嵌合部の外径上に嵌設されて位置決めされるとともに、前記位置規制球の相対的に上方に位置決めされ、前記嵌合部上で左右横方向の移動を行い得て、前記調整ベース内には、位置決め部及び解除部がそれぞれ設けられることを特徴とするソケット。
【請求項２】
前記嵌合部上には、位置規制凹溝が形成され、
前記位置規制凹溝には、Ｃ字状リングが嵌設されていることを特徴とする請求項１に記載のソケット。
【請求項３】
前記位置決めブロックの第１の端面には、前記弾性部材が押当てられ、
前記位置決めブロックの第２の端面には、前記工具ジョイントの当接面が押当てられることを特徴とする請求項１に記載のソケット。
【請求項４】
前記位置決めブロックの中段部近くには、環状を呈する前記位置決め溝が形成されていることを特徴とする請求項１に記載のソケット。
【請求項５】
前記球体揺動部材には、貫通孔が形成され、
前記貫通孔には、前記嵌合部の前記透孔に挿通された軸杆が挿設され、前記嵌合部内に前記球体揺動部材が枢着されることを特徴とする請求項１に記載のソケット。
【請求項６】
前記位置決め部の内径は、前記解除部の内径より小さいことを特徴とする請求項１に記載のソケット。
【考案の詳細な説明】
【技術分野】
【０００１】
本考案は、ソケットに関するものであり、さらに詳しくは、固定式又は旋回式両者の使用形式の工具アダプタに用いられ、工具アダプタを調整前の角度に自動的に回復させることが可能なソケットに関するものである。
【背景技術】
【０００２】
図１及び図２を参照する。図１及び図２に示すように、工具アダプタは、産業分野で使用される一般的な固定式工具アダプタのソケット接続棒１である。ソケット接続棒１は、ねじをねじ込むか緩めるワークジョイント１１が一端に設けられ、工具ジョイント１２が他端に設けられている。工具ジョイント１２は、一端がソケット接続棒１内に固着され、手動又は電動工具により工具ジョイント１２上に嵌着され、ソケット接続棒１を旋回させてねじをねじ込むか緩めるが、ねじが狭い空間に位置する場合、工具ジョイント１２が固定されてソケット接続棒１に対する角度を調整することができない場合、手動又は電動工具により嵌入することができないため、ソケット接続棒１が駆動できず、作業効率に悪影響を与えるおそれがあった。
【０００３】
そのため、図３〜図５に示すように、旋回式工具アダプタのソケット接続棒２が開発された。このようなソケット接続棒２は、様々な場面に応じて角度を調整することができる。ソケット接続棒２には、ねじをねじ込むか緩めるワークジョイント２１が一端に設けられ、工具ジョイント２２が他端に設けられる。工具ジョイント２２の一端には、球体揺動部材２３が配設される。球体揺動部材２３は、ソケット接続棒２内に嵌入され、球体揺動部材２３には貫通孔２３１が形成されている。軸杆２４をソケット接続棒２上の透孔２５と、球体揺動部材２３の貫通孔２３１とに挿通させ、球体揺動部材２３がソケット接続棒２に枢着されて位置決めされ、球体揺動部材２３は、必要に応じて軸杆２４を中心に角度を調整することができる。
【０００４】
そのため、必要に応じて工具ジョイント２２の角度を調整し、ねじをねじ込むか緩めることができる。しかし、作業が終了した後も球体揺動部材２３が元の位置に自動的に戻ることはなく、使用者が手作業によりソケット接続棒２を調整前の角度へ回復させなければ、収納することは容易でなかった。また、１回で角度を調整し、手動で元の調整前の角度へ戻さなければならず、使用又は収納が容易でないという問題点があった。
【考案の概要】
【考案が解決しようとする課題】
【０００５】
従って、本考案の主な課題は、工具ジョイントを固定式又は回転式の２種類で使用することができるソケットを提供することにある。
また、本考案のもう一つの課題は、角度を調整した後の工具ジョイントに外力が消えた後、調整前の角度に自動的に回復させるソケットを提供することにある。
【課題を解決するための手段】
【０００６】
そこで、本考案者は、前記課題を解決するため鋭意検討を重ねた結果、前記の主な課題に対しては、調整ベースと位置決めブロックとの位置決め及び解除を行うことにより、前記課題を達成することができ、もう一つの課題に対しては、弾性部材及び位置決めブロックを利用することにより、前記課題を解決できることに着目し、かかる知見に基いて本考案を想到するに至った。
すなわち、本考案の主な目的は、調整ベースと位置決めブロックとの位置決め及び解除を行うことにより、工具ジョイントを固定式又は回転式の２種類で使用することができるソケットを提供することにあり、本考案のもう一つの目的は、弾性部材及び位置決めブロックを利用し、角度を調整した後の工具ジョイントに外力が消えた後、調整前の角度に自動的に回復させるソケットを提供することにある。
【０００７】
かくして、本発明は、次の（１）〜（６）に記載の要旨を有するものである。
（１）ソケット接続棒、工具ジョイント群及び調整ベースを備えたソケットであって、
前記ソケット接続棒は、ねじをねじ込むか緩めるワークジョイントが一端に設けられ、嵌合部が他端に設けられ、前記嵌合部内には軸孔が形成され、前記嵌合部には、透孔と、位置規制球が嵌設される位置規制孔と、がそれぞれ形成され、
前記工具ジョイント群は、前記ソケット接続棒の前記嵌合部の軸孔内に嵌設されるとともに、前記軸孔内に順次嵌設された弾性部材、位置決めブロック及び工具ジョイントを有し、前記位置決めブロックの中段部近くに位置決め溝が形成され、前記位置決め溝には、前記位置規制球の底端が位置決めされ、前記工具ジョイントの一端には、球体揺動部材が設けられ、前記球体揺動部材の一端には、当接面が延設され、前記当接面は、前記位置決めブロックの一端に当接され、
前記調整ベースは、前記嵌合部の外径上に嵌設されて位置決めされるとともに、前記位置規制球の相対的に上方に位置決めされ、前記嵌合部上で左右横方向の移動を行い得て、前記調整ベース内には、位置決め部及び解除部がそれぞれ設けられることを特徴とするソケット。
【０００８】
（２）前記嵌合部上には、位置規制凹溝が形成され、
前記位置規制凹溝には、Ｃ字状リングが嵌設されていることを特徴とする前記（１）に記載のソケット。
【０００９】
（３）前記位置決めブロックの第１の端面には、前記弾性部材が押当てられ、
前記位置決めブロックの第２の端面には、前記工具ジョイントの当接面が押当てられることを特徴とする前記（１）に記載のソケット。
【００１０】
（４）前記位置決めブロックの中段部近くには、環状を呈する前記位置決め溝が形成されていることを特徴とする前記（１）に記載のソケット。
【００１１】
（５）前記球体揺動部材には、貫通孔が形成され、
前記貫通孔には、前記嵌合部の前記透孔に挿通された軸杆が挿設され、前記嵌合部内に前記球体揺動部材が枢着されることを特徴とする前記（１）に記載のソケット。
【００１２】
（６）前記位置決め部の内径は、前記解除部の内径より小さいことを特徴とする前記（１）に記載のソケット。
【考案の効果】
【００１３】
本考案のソケットは、以下（１）及び（２）の効果を有する。
（１）調整ベースと位置決めブロックとの位置決め及び解除を行うことにより、工具ジョイントを固定式又は回転式の２種類で使用することができる。
（２）弾性部材及び位置決めブロックを利用し、角度を調整した後の工具ジョイントに外力が消えた後、調整前の角度に自動的に回復させることができるため、次回の使用又は収納が容易である。
【図面の簡単な説明】
【００１４】
【図１】図１は、従来のソケット（１）を示す斜視図である。
【図２】図２は、従来のソケット（１）を示す組立断面図である。
【図３】図３は、従来のソケット（２）を示す斜視図である。
【図４】図４は、従来のソケット（２）を示す分解斜視図である。
【図５】図５は、従来のソケット（２）を示す組立断面図である。
【図６】図６は、本考案の一実施形態に係るソケットを示す斜視図である。
【図７】図７は、本考案の一実施形態に係るソケットを示す分解斜視図である。
【図８】図８は、本考案の一実施形態に係るソケットを示す組立断面図である。
【図９】図９は、本考案の第１実施形態に係るソケットを示す組立断面図である。
【図１０】図１０は、本考案の第２実施形態に係るソケットを示す組立断面図である。
【図１１】図１１は、本考案の第３実施形態に係るソケットを示す組立断面図である。
【考案を実施するための形態】
【００１５】
まず、図６〜図８を参照する。図６〜図８に示すように、本考案の一実施形態に係るソケットは、少なくともソケット接続棒３、工具ジョイント群４及び調整ベース５から構成されてなる。
【００１６】
ソケット接続棒３は、ねじをねじ込むか緩めるワークジョイント３１が一端に設けられ、嵌合部３２が他端に設けられる。嵌合部３２内には、軸孔３２１が形成される。嵌合部３２には、透孔３２２、位置規制孔３２３及び位置規制凹溝３２４が形成されている。位置規制孔３２３には、位置規制球３２５が嵌設されている。位置規制凹溝３２４には、Ｃ字状リング３２６が嵌設されている。
【００１７】
工具ジョイント群４は、ソケット接続棒３の嵌合部３２の軸孔３２１内に嵌設される。工具ジョイント群４は、弾性部材４１、位置決めブロック４２及び工具ジョイント４３を有するとともに、弾性部材４１、位置決めブロック４２及び工具ジョイント４３が軸孔３２１内に順次嵌設される。位置決めブロック４２の第１の端面４２１には、弾性部材４１の一端が押当てられ、位置決めブロック４２の中段部近くに環状を呈する位置決め溝４２２が形成されている。位置決め溝４２２は、位置規制球３２５の底端にちょうど位置決めされる。位置決めブロック４２の第２の端面４２３は、工具ジョイント４３に押当てられる。工具ジョイント４３の一端には、球体揺動部材４３１が設けられる。球体揺動部材４３１の一端には、当接面４３２が延設される。当接面４３２は、位置決めブロック４２の位置決め溝４２２に当接される。球体揺動部材４３１には、貫通孔４３３が形成される。嵌合部３２の透孔３２２に挿通された軸杆４３４が貫通孔４３３に挿設され、嵌合部３２内に球体揺動部材４３１が枢着される。
【００１８】
調整ベース５は、嵌合部３２の外径上に嵌設されて位置決めされるとともに、位置規制球３２５の相対的に上方に位置決めされ、嵌合部３２上で左右横方向の移動を行うことができる。調整ベース５内には、位置決め部５１及び解除部５２がそれぞれ設けられる。位置決め部５１の内径は、解除部５２の内径より小さい。
【００１９】
このように調整ベース５は、嵌合部３２の外径上に嵌設されて位置決めされるとともに、位置規制球３２５の相対的に上方に位置決めされ、順次、弾性部材４１、位置決めブロック４２及び工具ジョイント４３が軸孔３２１内に嵌設される。弾性部材４１は、位置決めブロック４２の第１の端面４２１に押当てられ、常時、力を受けた状態にあり、位置決めブロック４２の位置決め溝４２２には、位置規制球３２５の底端が位置決めされる。位置決めブロック４２の位置決め溝４２３は、球体揺動部材４３１の当接面４３２に当接され、貫通孔４３３には、嵌合部３２の透孔３２２に挿通された軸杆４３４が挿設され、嵌合部３２内に球体揺動部材４３１が枢着されてソケットの組立が完成する。
【００２０】
（第１実施形態）
図９を参照する。図９に示すように、本考案の第１実施形態に係るソケットは、工具ジョイント群４を固定して使用するときに、調整ベース５をソケット接続棒３のワークジョイント３１から工具ジョイント群４へ移動させると、調整ベース５の位置決め部５１底端が位置規制球３２５の頂端に当接され、位置規制球３２５が位置決めブロック４２の位置決め溝４２２と位置決め部５１との間に位置決めされ、位置決めブロック４２の第２の端面４２３が工具ジョイント４３の当接面４３２に当接され、工具ジョイント４３が当接されて位置決めされるため、旋回されることを防ぎ、工具ジョイント群４を固定して使用することができる。
【００２１】
（第２実施形態）
図１０を参照する。図１０に示すように、本考案の第２実施形態に係るソケットは、工具ジョイント群４が作業空間その他の理由によりソケット接続棒３と工具ジョイント４３とのなす角度を調整する場合、調整ベース５を工具ジョイント群４からソケット接続棒３のワークジョイント３１へ向けて移動させ、一側がＣ字状リング３２６に当接され、調整ベース５の解除部５２が位置規制球３２５の頂端に位置するとき、位置規制球３２５の頂端が調整ベース５により位置決めされなくなり、位置規制球３２５の底端が、位置決めブロック４２の位置決め溝４２２から位置決めが解除される。
【００２２】
（第３実施形態）
図１１を参照する。図１１に示すように、本考案の第３実施形態に係るソケットは、位置規制球３２５の頂端が調整ベース５により位置決めされない場合、位置規制球３２５が位置決めブロック４２の位置決め溝４２２により位置決めされないため、位置決めブロック４２が嵌合部３２の軸孔３２１内で横方向で移動可能である。そのため、工具ジョイント群４の工具ジョイント４３が球体揺動部材４３１の貫通孔４３３と軸杆４３４とを中心に所望の角度・位置に調整され、使用者のニーズに応じ、工具ジョイント４３が如何なる角度に旋回されたとしても、工具ジョイント４３は、その当接面４３２の縁部が位置決めブロック４２の第２の端面４２３に当接され、位置決めブロック４２が弾性部材４１へ向かって移動し、位置決めブロック４２の第１の端面４２１が押当てられて力を受けて弾性部材４１の一端が圧縮される。
【００２３】
作業が終了し、電動又は手動工具が工具ジョイント４３に力を加えなくなって外力が無くなると、位置決めブロック４２の第１の端面４２１が弾性部材４１の弾力を受けて回復し、位置決めブロック４２を押動し、位置決めブロック４２の第２の端面４２３が工具ジョイント４３の当接面４３２を押動し、工具ジョイント４３が球体揺動部材４３１の貫通孔４３３と軸杆４３４とを中心に旋回し、当接面４３２が位置決めブロック４２の第２の端面４２３に完全に当接され、工具ジョイント４３がソケット接続棒３と同一直線上に自動的に回復されるため、工具ジョイント４３の角度を調整した後に手作業により調整しなおす必要が無く、収納が容易である。
【符号の説明】
【００２４】
１  ソケット接続棒
２  ソケット接続棒
３  ソケット接続棒
４  工具ジョイント群
５  調整ベース
１１  ワークジョイント
１２  工具ジョイント
２１  ワークジョイント
２２  工具ジョイント
２３  球体揺動部材
２４  軸杆
２５  透孔
３１  ワークジョイント
３２  嵌合部
４１  弾性部材
４２  位置決めブロック
４３  工具ジョイント
５１  位置決め部
５２  解除部
２３１  貫通孔
３２１  軸孔
３２２  透孔
３２３  位置規制孔
３２４  位置規制凹溝
３２５  位置規制球
３２６  Ｃ字状リング
４２１  第１の端面
４２２  位置決め溝
４２３  第２の端面
４３１  球体揺動部材
４３２  当接面
４３３  貫通孔
４３４  軸杆
【図１】
0003214923.tif 000003
【図２】
0003214923.tif 000004
【図３】
0003214923.tif 000005
【図４】
0003214923.tif 000006
【図５】
0003214923.tif 000007
【図６】
0003214923.tif 000008
【図７】
0003214923.tif 000009
【図８】
0003214923.tif 000010
【図９】
0003214923.tif 000011
【図１０】
0003214923.tif 000012
【図１１】
0003214923.tif 000013